(57)【特許請求の範囲】
【請求項１】
下方に開口する枠体と、
前記枠体内に支持回動軸を介して所定方向に首振り可能に設けられ、筒状であり、かつ下方に開口する灯具本体と、前記灯具本体の内部に設けられると共に、下面に光源としての複数のＬＥＤが設けられるＬＥＤ基板と、前記ＬＥＤ基板の下方に設けられると共に、前記複数のＬＥＤの各々に対応して、複数のレンズの各々が設けられ、かつ外周が円であるレンズ板と、を備える灯具と、
を有し、
前記レンズ板の下面は、前記レンズ板の外周の円の中心を通り、前記支持回動軸に平行な第１の線によって２等分され、かつ、前記レンズ板の外周の円の中心を通り、前記第１の線に垂直な第２の線によって２等分され、
前記第２の線によって２等分される領域を第１領域および第２領域とし、
前記第１の線によって２等分される領域のうちの、前記灯具本体が首振りされた状態において、全領域が前記枠体の下方の開口面よりも上側に位置する方の領域を第３領域とし、一部の領域が前記枠体の下方の開口面よりも下側に位置する方の領域を第４領域とする場合、
前記複数のレンズは、
前記第１領域および前記第２領域の各々において、配置の密度が同じになるように、前記第２の線に対して線対称に配置され、
前記第３領域および前記第４領域の各々において、前記第３領域における配置の密度が疎であり、前記第４領域における配置の密度が密であるように、前記第１の線に対して非対称に配置される照明器具。
【請求項２】
請求項１に記載の照明器具において、
前記ＬＥＤ基板に設けられる、一つまたは複数個の給電部を有し、前記給電部は、前記第３領域に対応する位置に配置される照明器具。
【請求項３】
請求項２に記載の照明器具において、
前記給電部は、前記ＬＥＤ基板の前記下面に設けられる照明器具。
【請求項４】
請求項２または請求項３に記載の照明器具において、
前記給電部は、前記第３領域に配置される前記レンズに対応する前記ＬＥＤのうちの、前記灯具本体の内壁に沿って配置される最も外側に位置するＬＥＤの間に設けられる照明器具。
【請求項５】
請求項２ないし請求項４のうちのいずれか１項に記載の照明器具において、
前記給電部はコネクタである照明器具。
【発明の詳細な説明】
【技術分野】
【０００１】
本発明は、ＬＥＤを光源として天井に埋設されて設置され、一例としてダウンライトに適用される照明器具に関する。
【背景技術】
【０００２】
従来より、ＬＥＤが実装された基板に反射板を介してレンズが取り付けられ、ＬＥＤから投光された光をレンズで配光して照射する照明器具が知られている（例えば、特許文献１参照）。
【先行技術文献】
【特許文献】
【０００３】
【特許文献１】特開２０１０−４９８３０号公報（図９、段落００２２）
【発明の概要】
【発明が解決しようとする課題】
【０００４】
ここで、照明器具のなかには、枠体に灯具が支持回動軸を介して首振り可能に設けられ、灯具に複数のＬＥＤが光源として設けられたものがある。
この照明器具は、枠体に灯具が支持回動軸を介して首振り可能に設けられ、灯具の取付板に複数のＬＥＤが光源として設けられている。
このため、灯具を首振り傾斜させた状態においてＬＥＤから光を投光した場合、ＬＥＤから投光された光が枠体に当たって光が損失することが考えられる。
【０００５】
本発明は、前述した課題を解決するためになされたものであり、その目的は、灯具を首振り傾斜させた状態において、ＬＥＤから投光された光が枠体に当たる量を減少させることができる照明器具を提供することにある。
【課題を解決するための手段】
【０００６】
本発明の照明器具は、下方に開口する枠体と、前記枠体内に支持回動軸を介して所定方向に首振り可能に設けられ、筒状であり、かつ下方に開口する灯具本体と、前記灯具本体の内部に設けられると共に、下面に光源としての複数のＬＥＤが設けられるＬＥＤ基板と、前記ＬＥＤ基板の下方に設けられると共に、前記複数のＬＥＤの各々に対応して、複数のレンズの各々が設けられ、かつ外周が円であるレンズ板と、を備える灯具と、を有し、前記レンズ板の下面は、前記レンズ板の外周の円の中心を通り、前記支持回動軸に平行な第１の線によって２等分され、かつ、前記レンズ板の外周の円の中心を通り、前記第１の線に垂直な第２の線によって２等分され、前記第２の線によって２等分される領域を第１領域および第２領域とし、前記第１の線によって２等分される領域のうちの、前記灯具本体が首振りされた状態において、全領域が前記枠体の下方の開口面よりも上側に位置する方の領域を第３領域とし、一部の領域が前記枠体の下方の開口面よりも下側に位置する方の領域を第４領域とする場合、前記複数のレンズは、前記第１領域および前記第２領域の各々において、配置の密度が同じになるように、前記第２の線に対して線対称に配置され、前記第３領域および前記第４領域の各々において、前記第３領域における配置の密度が疎であり、前記第４領域における配置の密度が密であるように、前記第１の線に対して非対称に配置される。
【０００７】
また、本発明の照明器具は、前記ＬＥＤ基板に設けられる、一つまたは複数個の給電部を有し、前記給電部は、前記第３領域に対応する位置に配置される。
【０００８】
さらに、本発明の照明器具は、前記給電部は、前記ＬＥＤ基板の前記下面に設けられる。
【０００９】
また、本発明の照明器具は、前記給電部は、前記第３領域に配置される前記レンズに対応する前記ＬＥＤのうちの、前記灯具本体の内壁に沿って配置される最も外側に位置するＬＥＤの間に設けられる。
【００１０】
さらに、本発明の照明器具は、前記給電部はコネクタである。
【発明の効果】
【００１１】
本発明の照明器具によれば、取付板のうち下側の部位にＬＥＤを密に設け、上側の部位にＬＥＤを疎に設けた。
これにより、灯具を首振り傾斜させた状態において、ＬＥＤから投光された光が枠体に当たる量を減少させることができ、光損失を少なくした状態で照射できるという効果を有する。
【図面の簡単な説明】
【００１２】
【図１】本発明に係る第１実施形態の照明器具を示す分解斜視図
【図２】第１実施形態の照明器具に備えた灯具本体が鉛直方向に向いた状態を示す側面図
【図３】図２の灯具本体が傾斜した方向に向いた状態を示す側面図
【図４】図２の灯具本体が傾斜した方向に向いた状態を示す斜視図
【図５】図３のＡ矢視図
【図６】図５の照明器具の要部を簡素化した状態で示す斜視図
【図７】本発明に係る第２実施形態の照明器具の要部を簡素化した状態で示す斜視図
【図８】本発明に係る第３実施形態の照明器具の要部を簡素化した状態で示す斜視図
【発明を実施するための形態】
【００１３】
以下、本発明の実施形態に係る照明器具について図面を参照して説明する。
【００１４】
（第１実施形態）
図１に示すように、本発明の第１実施形態である照明器具１０は、枠体１４と、枠体１４内に首振り可能に設けられた灯具１８とを備えている。
この照明器具１０は、図２、図３に示すように、一例として、枠体１４が天井１１などの取付孔１２に埋設されてダウンライトに適用される照明器具である。
【００１５】
図４、図５に示すように、枠体１４は、略環状に形成された環状部（筒部）１５と、環状部１５の下端部のフランジ１５Ａに設けられた複数の取付ばね１６とを備えている。
図２、図３に示すように、フランジ１５Ａは、環状部１５が取付孔１２内に挿入された状態で天井１１の下面１１Ａに当接することにより枠体１４（すなわち、照明器具１０）を天井１１に位置決めする部位である。
【００１６】
取付ばね１６は、環状部１５を取付孔１２に下方から挿入させる際に環状部１５に沿うように弾性変形され、環状部１５が取付孔に挿入されてフランジ１５Ａが天井１１の下面１１Ａに当接した後に、それぞれの外径を大きくするように弾性復元されて環状部１５を取付孔１２に保持する部材である。
この枠体１４内に灯具１８が首振り可能に支持されている。
【００１７】
図１に示すように、灯具１８は、略円筒形状に形成された灯具本体２１と、灯具本体２１内の下端側に設けられたレンズ板２２と、レンズ板２２に形成された複数のレンズ２３（図５も参照）に対応して設けられたＬＥＤ（光源）２６と、ＬＥＤ２６が実装された基板（取付板）２９と、基板２９の実装面２９Ａ側に設けられた一対のコネクタ（給電部）３２（図６参照）と、灯具本体２１の頂部に設けられた放熱用のフィン３４とを備えている。
【００１８】
図２、図３に示すように、灯具本体２１は、支持回動軸３６を介して矢印方向に首振り可能に設けられている。図２は灯具本体２１が鉛直方向に向いた状態を示し、図３は灯具本体２１が首を振られることにより傾斜した方向に向いた状態を示す。
図１、図５に示すように、レンズ板２２は、略円形に形成され、複数のレンズ２３が形成されている。
【００１９】
図６に示すように、複数のレンズ２３は、レンズ板２２のうち支持回動軸３６の軸線３６Ａに対して上側の部位（上半部位）２２Ａに設けられたレンズ（以下、「上側レンズ」という）２３Ａ、およびレンズ板２２のうち支持回動軸３６の軸線３６Ａに対して下側の部位（下半部位）２２Ｂに設けられたレンズ（以下、「下側レンズ」という）２３Ｂが非対称に配置されている。
さらに、下側レンズ２３Ｂが上側レンズ２３Ａより密になるように、下側レンズ２３Ｂが密に設けられるとともに上側レンズ２３Ａが疎に設けられている。
【００２０】
複数のレンズ２３に対応して複数のＬＥＤ２６が設けられている。複数のＬＥＤ２６は、図１に示す基板２９の実装面２９Ａ側に、一例として２４個実装されている。
基板２９は、図１に示すように、レンズ板２２と同様に略円形に形成されている。
【００２１】
複数のＬＥＤ２６は、複数のレンズ２３に対応して設けられることにより、図１に示す基板２９のうち支持回動軸３６の軸線３６Ａに対して上側の部位（上半部位）２９Ｂに設けられたＬＥＤ（以下、「上側ＬＥＤ」という）２６Ａ、および基板２９のうち支持回動軸３６の軸線３６Ａに対して下側の部位（下半部位）２９Ｃに設けられたＬＥＤ（以下、「下側ＬＥＤ」という）２６Ｂが非対称に配置されている。
【００２２】
さらに、下側ＬＥＤ２６Ｂが上側ＬＥＤ２６Ａより密になるように、下側ＬＥＤ２６Ｂが密に設けられるとともに上側ＬＥＤ２６Ａが疎に設けられている。
よって、図６に示す灯具１８を首振り傾斜させた状態において、上側ＬＥＤ２６Ａが枠体１４の環状部１５に隠れる部分（「／／／」で示す部分）を小さく抑えることができる。
これにより、上側ＬＥＤ２６Ａから投光された光が枠体１４の環状部１５に当たる量を減少させることができ、光損失を少なくした状態で照射できる。
【００２３】
ここで、下側ＬＥＤ２６Ｂを密に設けるとともに上側ＬＥＤ２６Ａを疎に設けることにより、上側ＬＥＤ２６Ａ間にコネクタ３２を収容可能な一対のスペース３８が形成されている。
一対のスペース３８は、それぞれ基板２９の左右側近傍に設けられている。
コネクタ用の一対のスペース３８にコネクタ３２がそれぞれ配置され、配置された一対のコネクタ３２は基板２９の実装面２９Ａ（図１参照）側に設けられている。
一対のコネクタ３２は、基板２９の外周２９Ｄ内に設けられている。
【００２４】
このように、上側ＬＥＤ２６Ａ間にコネクタ３２を収容可能な一対のスペース３８を確保することにより、一対のコネクタ３２を設ける専用空間を個別に確保する必要がない。
これにより、レンズ板２２および基板２９の形状（サイズ）を維持した状態で、図１に示す灯具１８、すなわち照明器具１０のコンパクト化を図ることができる。
【００２５】
さらに、上側ＬＥＤ２６Ａを疎に設けることにより、上側ＬＥＤ２６Ａ間にコネクタ３２を収容可能な一対のスペース３８を容易に確保でき、設計の自由度を高めることができる。
【００２６】
加えて、コネクタ３２はＬＥＤ２６の実装面２９Ａ側に設けることにより、実装面２９Ａの反対側に一対のコネクタ３２を設ける専用空間を確保する必要がない。
これにより、図１に示す灯具１８、すなわち照明器具１０の一層のコンパクト化を図ることができる。
【００２７】
次に、第２実施形態〜第３実施形態の照明器具を図７〜図８に基づいて説明する。
なお、第２実施形態〜第３実施形態において第１実施形態の照明器具１０と同一類似部材について同じ符号を付して説明を省略する。
【００２８】
（第２実施形態）
図７に示すように、本発明の第２実施形態である照明器具５０は、上側ＬＥＤ２６Ａ間の一対のスペース５２を基板２９の上端側近傍に設けたもので、その他の構成は第１実施形態の照明器具１０と同様である。
一対のコネクタ３２は、基板２９の外周２９Ｄ内に設けられている。
【００２９】
一対のスペース５２を基板２９の上端側近傍に設けることにより、灯具１８を首振り傾斜させた状態において、一対のスペース５２に設けたコネクタ３２を枠体１４側に寄せることができる。
よって、一対のコネクタ３２を枠体１４の環状部１５で隠す部分（「／／／」で示す部分）に配置できるので、環状部１５に隠れない部分に配置する上側ＬＥＤ２６Ａを大きく確保できる。
これにより、上側ＬＥＤ２６Ａから投光された光が枠体１４に当たる量を、第１実施形態の照明器具１０と比較して一層減少させることができ、さらに光損失を少なくした状態で照射できる。
【００３０】
加えて、第２実施形態の照明器具５０によれば、第１実施形態の照明器具１０と同様に、光損失を少なくでき、かつ、灯具１８、すなわち照明器具５０のコンパクト化を一層図ることができる。
【００３１】
（第３実施形態）
図８に示すように、本発明の第３実施形態である照明器具６０は、複数のＬＥＤ２６を基板２９の実装面２９Ａ（図１参照）側に１８個実装したもので、その他の構成は第２実施形態の照明器具５０と同様である。
一対のコネクタ３２は、基板２９の外周２９Ｄ内に設けられている。
【００３２】
第３実施形態の照明器具６０によれば、第１実施形態の照明器具１０と同様に、光損失を少なくでき、かつ、灯具１８、すなわち照明器具６０のコンパクト化を一層図ることができる。
【００３３】
なお、本発明に係る照明器具は、前述した第１実施形態〜第３実施形態に限定されるものではなく適宜変更、改良等が可能である。
例えば、第１実施形態〜第３実施形態では、給電部としてコネクタ３２を例示したが、これに限らないで、給電部として、他の部材を用いることも可能である。
【００３４】
また、第１実施形態〜第３実施形態で使用した照明器具、枠体、灯具、ＬＥＤ、基板、コネクタおよび支持回動軸等の形状や構成は例示したものに限定するものではなく適宜変更が可能である。
【符号の説明】
【００３５】
１０，５０，６０  照明器具
１４  枠体
１８  灯具
２６  ＬＥＤ
２６Ａ  上側ＬＥＤ
２６Ｂ  下側ＬＥＤ
２９  基板（取付板）
２９Ａ  基板の実装面
２９Ｂ  基板のうち支持回動軸に対して上側の部位
２９Ｃ  基板のうち支持回動軸に対して下側の部位
３２  コネクタ（給電部）
３６  支持回動軸
３６Ａ  支持回動軸の軸線
３８，５２  スペース
【図１】
0005685723.tif 000002
【図２】
0005685723.tif 000003
【図３】
0005685723.tif 000004
【図４】
0005685723.tif 000005
【図５】
0005685723.tif 000006
【図６】
0005685723.tif 000007
【図７】
0005685723.tif 000008
【図８】
0005685723.tif 000009